(57)【要約】【課題】筆記具の正しい持ち方を実現できる筆記補助具、および筆記補助具形成用部材セットを提供する。【解決手段】筆記補助具１は、第１貫通孔１２を有する第１球体１０と、第１貫通孔１２に挿入された２本の第１中間部２２、２本の第１中間部２２が第１開口１４からそれぞれ延びて一体として閉路する第１閉路部２４、および２本の第１中間部２２が第２開口１６からそれぞれ延びて一体として閉路する第２閉路部２６を有する第１輪状弾性体２０と、第２貫通孔３２を有する第２球体３０と、第２貫通孔３２に挿入された２本の第２中間部４２、２本の第２中間部４２が第３開口３４からそれぞれ延びて一体として閉路する第３閉路部４４、および２本の第２中間部４２が第４開口３６からそれぞれ延長して一体として閉路する第４閉路部４６を有する第２輪状弾性体４０と、を有する。【選択図】図１
2018192687.tif 000002
【特許請求の範囲】
【請求項１】
第１開口から第２開口にわたる第１貫通孔を有する第１球体と、
前記第１貫通孔に挿入された２本の第１中間部、２本の前記第１中間部が前記第１開口からそれぞれ延びて一体として閉路する第１閉路部、および２本の前記第１中間部が前記第２開口からそれぞれ延びて一体として閉路する第２閉路部を有する第１輪状弾性体と、
第３開口から第４開口にわたる第２貫通孔を有する第２球体と、
前記第２貫通孔に挿入された２本の第２中間部、２本の前記第２中間部が前記第３開口からそれぞれ延びて一体として閉路する第３閉路部、および２本の前記第２中間部が前記第４開口からそれぞれ延長して一体として閉路する第４閉路部を有する第２輪状弾性体と、を備える筆記補助具であって、
前記第１貫通孔と前記第１中間部は、相互可動性を有し、前記第２貫通孔と前記第２中間部は、相互可動性を有し、
前記第２閉路部は、前記第２開口に隣接して前記第３閉路部が結ばれた結合部を有し、
前記第１閉路部に人差し指が挿入され、前記第３閉路部に中指が挿入され、前記第２閉路部に筆記具の中間位置が挿入され、前記第４閉路部に前記筆記具の先端傾斜位置が挿入されること
を特徴とする筆記補助具。
【請求項２】
請求項１に記載の筆記補助具であって、
前記第１球体および前記第２球体は、それぞれビーズであり、前記第１輪状弾性体および前記第２輪状弾性体は、それぞれ輪ゴムであり、前記筆記具は、鉛筆であること
を特徴とする筆記補助具。
【請求項３】
請求項１または請求項２に記載の筆記補助具であって、
前記結合部は、前記第２閉路部に対して前記第３閉路部がひばり結びされていること
を特徴とする筆記補助具。
【請求項４】
請求項１から請求項３までのいずれか一つに記載の筆記補助具を形成する部材を備える筆記補助具形成用部材セットであって、
前記第１球体と、前記第２球体と、前記第１輪状弾性体と、前記第２輪状弾性体とを個別部材として備えることを特徴とする筆記補助具形成用部材セット。
【発明の詳細な説明】
【技術分野】
【０００１】
本発明は、指に装着して筆記具の正しい持ち方を実現できる筆記保持具および筆記保持具を形成する部材を備える筆記補助具形成用部材セットに関する。
【背景技術】
【０００２】
文字を記載する手段として筆記具があり、パーソナルコンピューター等の機器を使用する現在でも手書き文字を必要とする場合は多い。また、手書き文字もただ書けば良いというだけではなく、書くからには美しい文字であることが好ましい。
美しい文字を書くためには正しい筆記具の持ち方が最低限の条件となる。また、正しい持ち方をすれば、姿勢も良くなり、長時間継続した筆記具の使用によっても疲れにくくなり、集中力の低下も抑制できる。
このような状況から筆記補助具が提案されている（例えば、特許文献１参照。）。
【０００３】
特許文献１に記載された筆記補助具は、筆記具にリングを装着し、リングから伸びた舌片を掌に係合させるものである。つまり、掌の力を利用してボールペンの先端部を紙に強く押しつけて記入するものであり、強くかつきれいに記入できるとしている。
【先行技術文献】
【特許文献】
【０００４】
【特許文献１】特開平１０−２４４７９６号公報
【発明の概要】
【発明が解決しようとする課題】
【０００５】
しかし、特許文献１に記載された筆記補助具は、正しい持ち方を導くものではないという課題があった。
本発明はこのような状況に鑑みてなされたものであり、筆記具の正しい持ち方を実現できる筆記補助具を提供することを目的とする。
また、本発明は、本発明に係る筆記補助具を形成する部材を備える筆記補助具形成用部材セットを提供することを他の目的とする。
【課題を解決するための手段】
【０００６】
本発明に係る筆記補助具は、第１開口から第２開口にわたる第１貫通孔を有する第１球体と、前記第１貫通孔に挿入された２本の第１中間部、２本の前記第１中間部が前記第１開口からそれぞれ延びて一体として閉路する第１閉路部、および２本の前記第１中間部が前記第２開口からそれぞれ延びて一体として閉路する第２閉路部を有する第１輪状弾性体と、第３開口から第４開口にわたる第２貫通孔を有する第２球体と、前記第２貫通孔に挿入された２本の第２中間部、２本の前記第２中間部が前記第３開口からそれぞれ延びて一体として閉路する第３閉路部、および２本の前記第２中間部が前記第４開口からそれぞれ延長して一体として閉路する第４閉路部を有する第２輪状弾性体と、を備える筆記補助具であって、前記第１貫通孔と前記第１中間部は、相互可動性を有し、前記第２貫通孔と前記第２中間部は、相互可動性を有し、前記第２閉路部は、前記第２開口に隣接して前記第３閉路部が結ばれた結合部を有し、前記第１閉路部に人差し指が挿入され、前記第３閉路部に中指が挿入され、前記第２閉路部に筆記具の中間位置が挿入され、前記第４閉路部に前記筆記具の先端傾斜位置が挿入されることを特徴とする。
したがって、本発明に係る筆記補助具は、筆記具を正しい位置に配置しやすいので、筆記具を正しく保持しやすい。
【０００７】
また、本発明の一実施の形態に係る筆記補助具では、前記第１球体および前記第２球体は、それぞれビーズであり、前記第１輪状弾性体および前記第２輪状弾性体は、それぞれ輪ゴムであり、前記筆記具は、鉛筆であることを特徴とする。
また、本発明の一実施の形態に係る筆記補助具では、前記結合部は、前記第２閉路部に対して前記第３閉路部がひばり結びされていることを特徴とする。
【０００８】
また、本発明に係る筆記補助具形成用部材セットは、本発明に係る筆記補助具を形成する部材を備える筆記補助具形成用部材セットであって、前記第１球体と、前記第２球体と、前記第１輪状弾性体と、前記第２輪状弾性体とを個別部材として備えることを特徴とする。
したがって、本発明の一実施の形態に係る筆記補助具形成用部材セットは、本発明に係る筆記補助具を容易に形成しやすい。
【発明の効果】
【０００９】
本発明に係る筆記補助具は、筆記具を正しい位置に配置して筆記具を正しく保持しやすいという効果を奏する。また、筆記補助具は、美しい文字を記載しやすくして、筆記具の使用による疲労を抑制し、姿勢の悪化を抑制しやすい。
また、本発明に係る筆記補助具形成用部材セットは、本発明に係る筆記補助具を容易に製作しやすいという効果を奏する。
【図面の簡単な説明】
【００１０】
【図１】本発明の実施の形態１に係る筆記補助具の平面視での状態を示す平面図である。
【図２】図１に示した筆記補助具の部分を拡大して示す部分拡大平面図である。
【図３】図１に示した筆記補助具を筆記具に取り付けた状態と人差し指および中指の挿入方向の概略を説明的に示す概略斜視図である。
【図４】図１に示した筆記補助具を筆記具に取り付けて人差し指および中指を挿入した状態の概略を示す概略斜視図である。
【図５】本発明の実施の形態２に係る筆記補助具形成用部材セットの各部材を個別に示す平面図である。
【発明を実施するための形態】
【００１１】
以下、本発明の実施の形態について図面（図１ないし図５）を参照して説明する。
［実施の形態１］
図１ないし図４を参照して、本発明の実施の形態１に係る筆記補助具１について説明する。
図１は、本発明の実施の形態１に係る筆記補助具１の平面視での状態を示す平面図である。
図２は、図１に示した筆記補助具１の部分を拡大して示す部分拡大平面図である。
図３は、図１に示した筆記補助具１を筆記具ＷＴに取り付けた状態と人差し指Ｆｎ２および中指Ｆｎ３の挿入方向の概略を説明的に示す概略斜視図である。
図４は、図１に示した筆記補助具１を筆記具ＷＴに取り付けて人差し指Ｆｎ２および中指Ｆｎ３を挿入した状態の概略を示す概略斜視図である。
なお、図４では、親指Ｆｎ１および人差し指Ｆｎ２を筆記具ＷＴから浮かせて第１閉路部２４に対する人差し指Ｆｎ２の配置関係および第３閉路部４４に対する中指Ｆｎ３の配置関係を示す。
【００１２】
筆記補助具１は、第１球体１０、第１輪状弾性体２０、第２球体３０、および第２輪状弾性体４０を備える。
筆記補助具１は、第１開口１４から第２開口１６にわたる第１貫通孔１２を有する第１球体１０と、第１貫通孔１２に挿入された２本の第１中間部２２、２本の第１中間部２２が第１開口１４からそれぞれ延びて一体として閉路する第１閉路部２４、および２本の第１中間部２２が第２開口１６からそれぞれ延びて一体として閉路する第２閉路部２６を有する第１輪状弾性体２０とを有する。
また、筆記補助具１は、第３開口３４から第４開口３６にわたる第２貫通孔３２を有する第２球体３０と、第２貫通孔３２に挿入された２本の第２中間部４２、２本の第２中間部４２が第３開口３４からそれぞれ延びて一体として閉路する第３閉路部４４、および２本の第２中間部４２が第４開口３６からそれぞれ延長して一体として閉路する第４閉路部４６を有する第２輪状弾性体４０と、を有する。
第１貫通孔１２と第１中間部２２は、相互可動性を有し、第２貫通孔３２と第２中間部４２は、相互可動性を有し、第２閉路部２６は、第２開口１６に隣接して第３閉路部４４が結ばれた結合部５０を有する。
【００１３】
第１貫通孔１２は、第１中間部２２を保持し、第２貫通孔３２は、第２中間部４２を保持する。第１貫通孔１２と第１中間部２２は、相互可動性を有し、第２貫通孔３２と第２中間部４２は、相互可動性を有するので、第２閉路部２６は筆記具ＷＴの中間位置Ｐｓ１を保持する大きさに調整され、第４閉路部４６は筆記具ＷＴの先端傾斜位置Ｐｓ２を保持する大きさに調整される。
つまり、第２閉路部２６に筆記具ＷＴの中間位置Ｐｓ１が挿入されて位置決めされる。また、第４閉路部４６に筆記具ＷＴの先端傾斜位置Ｐｓ２が挿入されて位置決めされる。
第１球体１０（第１貫通孔１２）に対する第１中間部２２（第１輪状弾性体２０）の位置、第２球体３０（第２貫通孔３２）に対する第２中間部４２（第２輪状弾性体４０）の位置は、それぞれ移動させて調整される。これにより、第２閉路部２６は筆記具ＷＴの中間位置Ｐｓ１を保持し、第４閉路部４６は筆記具ＷＴの先端傾斜位置Ｐｓ２を保持できる。また、第２閉路部２６は結合部５０を介して第１球体１０に隣接し、第４閉路部４６は第２球体３０に隣接する。結合部５０は、締め付けにより大きさをほとんど無視できる程度にされる。
第１球体１０は、第１閉路部２４および第２閉路部２６のそれぞれが第１球体１０の外側で広げられることから容易に位置決めされ固定される。第２球体３０は、第３閉路部４４および第４閉路部４６のそれぞれが第２球体３０の外側で広げられることから容易に位置決めされ固定される。
【００１４】
第１閉路部２４は、人差し指Ｆｎ２の基節Ｐｐが挿入され位置決めされる。第３閉路部４４は、中指Ｆｎ３の末節Ｐｔ３が挿入され位置決めされる。第３閉路部４４は、第１球体１０（結合部５０）と第２球体３０との間、つまり、筆記具ＷＴの中間位置Ｐｓ１と先端傾斜位置Ｐｓ２との間（間隔）を確保する長さを有する。
第３閉路部４４は、人差し指Ｆｎ２の基節Ｐｐ（第１球体１０の第２開口１６）から中指Ｆｎ３の末節Ｐｔ３（第２球体３０の第３開口３４）にかけて配置される。
【００１５】
第１球体１０は、人差し指Ｆｎ２の基節Ｐｐに位置決めされ、第２球体３０は、中指Ｆｎ３の末節Ｐｔ３に位置決めされる。したがって、第４閉路部４６に保持された先端傾斜位置Ｐｓ２（筆記具ＷＴ）は、第２球体３０を介して中指Ｆｎ３の末節Ｐｔ３に位置決めされ、第２閉路部２６に保持された中間位置Ｐｓ１（筆記具ＷＴ）は、第１球体１０を介して人差し指Ｆｎ２の基節Ｐｐに位置決めされる。
つまり、筆記具ＷＴは、人差し指Ｆｎ２の基節Ｐｐから末節Ｐｔ２に沿う状態とされ、正しい位置に配置された状態となる。すなわち、筆記具ＷＴは、正しい持ち方がなされた状態となる。
なお、先端傾斜位置Ｐｓ２は、中間位置Ｐｓ１に比較して、先端に向けて細くなっている傾斜部であり、中間位置Ｐｓ１は、人差し指Ｆｎ２の基節Ｐｐで支えられるべき位置である。
人差し指Ｆｎ２は、挿入方向Ｄｆ２（図３）が示す経路において、手前から第１閉路部２４に挿入され、筆記具ＷＴの側部を通って筆記具ＷＴの上側に抜けて位置する。つまり、第１閉路部２４は、人差し指Ｆｎ２の基節Ｐｐ（図４）に配置される。
中指Ｆｎ３は、挿入方向Ｄｆ３（図３）において筆記具ＷＴの下側で筆記具ＷＴを支えた状態で第３閉路部４４に挿入され、中指Ｆｎ３の末節Ｐｔ３（図４）は、筆記具ＷＴを支える。
【００１６】
第２閉路部２６は、差し込まれた筆記具ＷＴの中間位置Ｐｓ１を位置決めする。また、第４閉路部４６は、差し込まれた筆記具ＷＴの先端傾斜位置Ｐｓ２を位置決めする。
第１輪状弾性体２０および第２輪状弾性体４０は、いずれも弾性体で伸び縮みするので、厳密な大きさの調整は不要である。つまり、第２閉路部２６は、筆記具ＷＴの中間位置Ｐｓ１を位置決めして保持する大きさであれば良く、第４閉路部４６は、筆記具ＷＴの先端傾斜位置Ｐｓ２を位置決めして保持する大きさであれば良い。
すなわち、第２閉路部２６の大きさ（内周長）は、中間位置Ｐｓ１の大きさ（外周長）より若干小さいことが好ましい。また、第４閉路部４６の大きさ（内周長）は、先端傾斜位置Ｐｓ２の大きさ（外周長）より若干小さいことが好ましい。
人差し指Ｆｎ２の基節Ｐｐは、第１閉路部２４に挿入されるので、人差し指Ｆｎ２（基節Ｐｐ）、第１閉路部２４、第１球体１０、結合部５０、および筆記具ＷＴの中間位置Ｐｓ１は、相互に位置決めされる。つまり、筆記具ＷＴの中間位置Ｐｓ１は、人差し指Ｆｎ２の基節Ｐｐに位置合わせされる。
【００１７】
中指Ｆｎ３の末節Ｐｔ３は、第３閉路部４４に挿入される。結合部５０は、中間位置Ｐｓ１にあるので、第３閉路部４４は、筆記具ＷＴに沿う形態で位置し、第２球体３０は、先端傾斜位置Ｐｓ２から中指Ｆｎ３の末節Ｐｔ３に向き合うように配置される。すなわち、中指Ｆｎ３の末節Ｐｔ３は、第２球体３０に当たる位置に挿入される。したがって、筆記具ＷＴの先端傾斜位置Ｐｓ２、第４閉路部４６、第２球体３０、中指Ｆｎ３（末節Ｐｔ３）は、相互に位置決めされる。つまり、筆記具ＷＴの先端傾斜位置Ｐｓ２は、中指Ｆｎ３の末節Ｐｔ３に位置合わせされる。
また、第１輪状弾性体２０（第１閉路部２４）は筆記具ＷＴの中間位置Ｐｓ１、つまり、人差し指Ｆｎ２の基節Ｐｐに位置決めされ、第２輪状弾性体４０（第３閉路部４４）は筆記具ＷＴの先端傾斜位置Ｐｓ２、つまり、中指Ｆｎ３の末節Ｐｔ３に位置決めされる。
すなわち、筆記補助具１が位置決めされた状態は、筆記具ＷＴの下側に位置する中指Ｆｎ３の末節Ｐｔ３に対して筆記具ＷＴの上側から親指（末節Ｐｔ１）と人差し指Ｆｎ２（末節Ｐｔ２）を添えることで人差し指Ｆｎ２は筆記具ＷＴに沿う状態となる。つまり、筆記補助具１が位置決めされた状態は、そのまま、筆記具ＷＴに対する正規の保持状態（筆記具ＷＴの正しい持ち方）を実現できる。
【００１８】
第２閉路部２６は、結合部５０を介して筆記具ＷＴの中間位置Ｐｓ１に位置決めされる。また、第１球体１０は、結合部５０に合わせて第２閉路部２６の大きさを画定し、人差し指Ｆｎ２と大きさの異なる筆記具ＷＴを人差し指Ｆｎ２に固定するストッパーとして作用する。
つまり、第１閉路部２４は、筆記具ＷＴの中間位置Ｐｓ１を人差し指Ｆｎ２の正しい位置（基節Ｐｐ）に配置する。また、第１開口１４の側で第１閉路部２４に続き、第２開口１６の側で結合部５０を介して第２閉路部２６に続く第１球体１０は、筆記具ＷＴの位置が人差し指Ｆｎ２の基節Ｐｐに位置することを正確に表示できる。これにより、筆記具ＷＴが正しい位置に配置されていることを容易に認識できる。
第４閉路部４６は、筆記具ＷＴの先端傾斜位置Ｐｓ２に位置決めされる。第３閉路部４４は、結合部５０から離れた側に中指Ｆｎ３の末節Ｐｔ３が挿入される。中指Ｆｎ３の末節Ｐｔ３は、第２球体３０を介して筆記具ＷＴを支持する。これにより、筆記具ＷＴの先端傾斜位置Ｐｓ２は、中指Ｆｎ３の正しい位置（末節Ｐｔ３）に配置される。
【００１９】
第２輪状弾性体４０は、第１球体１０の第２開口１６の側で第２閉路部２６にひばり結びされ、結合部５０として第１輪状弾性体２０に固定される。つまり、結合部５０は、第２閉路部２６に対して第３閉路部４４がひばり結びされている。
筆記補助具１は、結合部５０にひばり結びが適用されているので、第２閉路部２６に対して第３閉路部４４が簡単な結び方で確実に結合され、第２閉路部２６の大きさを精度良く調整できるので、筆記具ＷＴの中間位置Ｐｓ１の保持が確実となる。
結合部５０は、人差し指Ｆｎ２と筆記具ＷＴを留める第１輪状弾性体２０を位置決めする第１球体１０を固定する。つまり、第２輪状弾性体４０は、第１球体１０を固定する結合部５０を形成する第３閉路部４４と、筆記具ＷＴの先端傾斜位置Ｐｓ２を中指Ｆｎ３の正しい位置である末節Ｐｔ３に配置する第４閉路部４６とを有する。
また、第２球体３０は、筆記具ＷＴの先端傾斜位置Ｐｓ２に第４閉路部４６を止める作用と、中指Ｆｎ３の末節Ｐｔに第４閉路部４６が正しく配置されていることを表示する作用とを生じる。
【００２０】
なお、各部材の具体的な寸法例は次のとおりである。
第１輪状弾性体２０の寸法は例えば次のようにするのが好ましい。
成人では、折り径が６０ｍｍ（番手＃１６。内径３８ｍｍ、切幅１．１ｍｍ、厚さ１．１ｍｍ）。実際に人差し指Ｆｎ２に装着したときの基節Ｐｐに対する内径は略２０ｍｍとなった。
小学生では、折り径が５０ｍｍ（番手＃１４。内径３２、切幅１．１ｍｍ、厚さ１．１ｍｍ）。実際に人差し指Ｆｎ２に装着したときの基節Ｐｐに対する内径は略１５ｍｍとなった。小学生〜幼児については、指（手）の大きさに応じて、番手＃１２、番手＃１０を使用しても良い。
第２輪状弾性体４０は、第１輪状弾性体２０を適用した使用者の指（手）の大きさに応じて適宜の大きさを組み合わせるのが好ましい。基本的には、成人で番手＃１６、小学生で番手＃１４が適用される。
第１球体１０と第２球体３０は同一の大きさで良く、第１貫通孔１２と第２貫通孔３２は同一の大きさで良い。第１球体１０および第２球体３０の実際の寸法は、外径が略５ｍｍ〜７ｍｍ、第１貫通孔１２および第２貫通孔３２は、内径が約１ｍｍである。
第１球体１０および第２球体３０は、球体と規定しているが、「球体」との文言に限られず、一般に流通しているビーズであれば良く、例えば、花型など外形のバリエーションを備えた変形ビーズであっても適用される。
筆記具ＷＴとしては、鉛筆の他に例えば細長いボールペンなどが適用される。
【００２１】
各部材の具体的な実施例として、本実施の形態では、第１球体１０および第２球体３０は、それぞれビーズであり、第１輪状弾性体２０および第２輪状弾性体４０は、それぞれ輪ゴムであり、筆記具ＷＴは、鉛筆であることが好ましい。筆記補助具１は、ビーズおよび輪ゴムという日用品が適用されるので、効率良く製造される。なお、第１球体１０および第２球体３０は、真球である必要は無い。
また、人の指の大きさの個人差に対しては、輪ゴム（第１輪状弾性体２０および第２輪状弾性体４０）をサイズの異なる輪ゴムに入れ替えることにより、幅広くほとんどの人の指に対応できる。また、第１輪状弾性体２０および第２輪状弾性体４０は、適宜の弾性を有するので、寸法についての一定の許容範囲を確保できる。
【００２２】
なお、図４では、中指Ｆｎ３（末節Ｐｔ３）、第３閉路部４４の相関を明示するため、親指Ｆｎ１および人差し指Ｆｎ２は、筆記具ＷＴから浮かせた状態で示されている。
筆記具ＷＴの使用時において、親指Ｆｎ１および人差し指Ｆｎ２は、中指Ｆｎ３が筆記具ＷＴを支持する位置とは反対側の筆記具ＷＴの上部で筆記具ＷＴを押さえて保持する。これにより、親指Ｆｎ１、人差し指Ｆｎ２、および中指Ｆｎ３の三本は、正しく筆記具ＷＴを持つことになり、筆記具ＷＴの中心軸（不図示）は、紙面（不図示）に対して約５５度から６０度までの間になる。また、例えば右利きの場合は、右に約２０度傾けて人差し指Ｆｎ２に沿わせて持つ保持状態が実現され、より正しい保持状態となる。
【００２３】
第１球体１０を中間に配置した状態で、第１開口１４の側では第１閉路部２４を介して人差し指Ｆｎ２の基節Ｐｐを位置決めし、第２開口１６の側では第２閉路部２６を介して筆記具ＷＴの中間位置Ｐｓ１を位置決めできる。また、第２球体３０を中間に配置した状態で、第３開口３４の側では第３閉路部４４を介して中指Ｆｎ３の末節Ｐｔ３に位置決めし、第４開口３６の側では第４閉路部４６を介して筆記具ＷＴの先端傾斜位置Ｐｓ２を位置決めできる。
すなわち、中間位置Ｐｓ１に対して人差し指Ｆｎ２の基節Ｐｐを位置決めし、先端傾斜位置Ｐｓ２に対して中指Ｆｎ３の末節Ｐｔ３を位置決めするので、筆記具ＷＴに対する人差し指Ｆｎ２（基節Ｐｐ）および中指Ｆｎ３（末節Ｐｔ３）の正しい位置を保持できる。なお、親指Ｆｎ１の末節Ｐｔ１は、人差し指Ｆｎ２および中指Ｆｎ３を筆記具ＷＴの反対側から軽く押さえる程度で３本の指の正しい位置が決められ、保持される。
【００２４】
上記したとおり、筆記補助具１は、筆記具ＷＴを正しい位置に配置して筆記具ＷＴを正しく保持しやすい。また、筆記補助具１は、美しい文字を記載しやすくして、筆記具ＷＴの使用による疲労を抑制し、姿勢の悪化を抑制しやすい。
更に、筆記補助具１は、筆記具ＷＴを支える位置を第１球体１０と第２球体３０とで表示して観察しやすくするので、筆記補助具１が正しく使用されているか否かを離れた位置にいる観察者が視認しやすくなる。これにより、筆記補助具１は、筆記具ＷＴの正しい持ち方に対する指導において効果と効率を上げやすくなる。
第１輪状弾性体２０は、第１球体１０の第１貫通孔１２に通されて、第１閉路部２４と第２閉路部２６に区分される。第１閉路部２４は、人差し指Ｆｎ２が挿入され、人差し指Ｆｎ２の基節Ｐｐに位置決めされる。また、第２閉路部２６は、筆記具ＷＴの中間位置Ｐｓ１に位置決めされる。人差し指Ｆｎ２の基節Ｐｐと中間位置Ｐｓ１とは、第１球体１０および結合部５０を介して略同じ位置に位置決めされる。
したがって、第１輪状弾性体２０は、人差し指Ｆｎ２の基節Ｐｐを囲み、筆記具ＷＴの中間位置Ｐｓ１を囲み、更に第１貫通孔１２および結合部５０を通る長さがあれば良い。このため、第２輪状弾性体４０に比べて多少短い形状が好ましい。
【００２５】
第２輪状弾性体４０は、第２球体３０の第２貫通孔３２に通されて、第３閉路部４４と第４閉路部４６に区分される。第３閉路部４４は、中指Ｆｎ３が挿入され、中指Ｆｎ３の末節Ｐｔ３に位置決めされる。第３閉路部４４は、先端傾斜位置Ｐｓ２から中間位置Ｐｓ１の間で第２球体３０を介して結合部５０に連結される。つまり、第３閉路部４４は、中指Ｆｎ３が挿入された状態で第２球体３０から結合部５０までの間に配置される。
また、第４閉路部４６は、筆記具ＷＴの先端傾斜位置Ｐｓ２に位置決めされる。中指Ｆｎ３の末節Ｐｔ３と先端傾斜位置Ｐｓ２とは、第２球体３０を介して略同じ位置に位置決めされる。
したがって、第２輪状弾性体４０は、中指Ｆｎ３の末節Ｐｔ３を囲んだ状態で人差し指Ｆｎ２に沿いながら結合部５０まで配置される長さと、先端傾斜位置Ｐｓ２を囲み、更に第２貫通孔３２を通る長さが必要となる。このため、第１輪状弾性体２０に比べて多少長い形状が好ましい。
【００２６】
［実施の形態２］
図５を参照して、本発明の実施の形態２に係る筆記補助具形成用部材セット１ｓについて説明する。
本実施の形態に係る筆記補助具形成用部材セット１ｓは、実施の形態１に係る筆記補助具１の部材をそのままセット部材とするので、実施の形態１に係る筆記補助具１の各部材と同一の符号を付して、適宜説明を省略する。
本実施の形態２に係る筆記補助具形成用部材セット１ｓは、実施の形態１に係る筆記補助具１を形成する部材を備える。すなわち、筆記補助具形成用部材セット１ｓは、第１球体１０と、第２球体３０と、第１輪状弾性体２０と、第２輪状弾性体４０とを個別部材として備える。
すなわち、筆記補助具形成用部材セット１ｓは、予め必要な部材が準備されてセットになっているので、本発明に係る筆記補助具１を容易に製作しやすい。
【産業上の利用可能性】
【００２７】
本発明に係る筆記補助具は、筆記具の正しい持ち方を指導する際に有効に利用できる筆記補助具となる。また、本発明に係る筆記補助具形成用部材セットは、筆記補助具を効果的に提供できる。
【符号の説明】
【００２８】
１  筆記補助具
１ｓ  筆記補助具形成用部材セット
１０  第１球体
１２  第１貫通孔
１４  第１開口
１６  第２開口
２０  第１輪状弾性体
２２  第１中間部
２４  第１閉路部
２６  第２閉路部
３０  第２球体
３２  第２貫通孔
３４  第３開口
３６  第４開口
４０  第２輪状弾性体
４２  第２中間部
４４  第３閉路部
４６  第４閉路部
５０  結合部
Ｄｆ２  挿入方向（人差し指）
Ｄｆ３  挿入方向（中指）
Ｆｎ１  親指
Ｆｎ２  人差し指
Ｆｎ３  中指
Ｐｐ  基節
Ｐｓ１  中間位置
Ｐｓ２  先端傾斜位置
Ｐｔ１  末節（親指）
Ｐｔ２  末節（人差し指）
Ｐｔ３  末節（中指）
ＷＴ  筆記具
【図１】
2018192687.tif 000003
【図２】
2018192687.tif 000004
【図３】
2018192687.tif 000005
【図４】
2018192687.tif 000006
【図５】
2018192687.tif 000007
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
第１開口から第２開口にわたる第１貫通孔を有する第１球体と、
前記第１貫通孔に挿入された２本の第１中間部、２本の前記第１中間部が前記第１開口からそれぞれ延びて一体として閉路する第１閉路部、および２本の前記第１中間部が前記第２開口からそれぞれ延びて一体として閉路する第２閉路部を有する第１輪状弾性体と、
第３開口から第４開口にわたる第２貫通孔を有する第２球体と、
前記第２貫通孔に挿入された２本の第２中間部、２本の前記第２中間部が前記第３開口からそれぞれ延びて一体として閉路する第３閉路部、および２本の前記第２中間部が前記第４開口からそれぞれ延長して一体として閉路する第４閉路部を有する第２輪状弾性体と、を備える筆記補助具であって、
前記第１貫通孔と前記第１中間部は、相互可動性を有し、前記第２貫通孔と前記第２中間部は、相互可動性を有し、
前記第２閉路部は、前記第２開口に隣接して前記第３閉路部が結ばれた結合部を有し、
前記第１閉路部に人差し指が挿入され、前記第３閉路部に中指が挿入され、前記第２閉路部に筆記具の中間位置が挿入され、前記第４閉路部に前記筆記具の先端傾斜位置が挿入されること
を特徴とする筆記補助具。
【請求項２】
請求項１に記載の筆記補助具であって、
前記第１球体および前記第２球体は、それぞれビーズであり、前記第１輪状弾性体および前記第２輪状弾性体は、それぞれ輪ゴムであり、前記筆記具は、鉛筆であること
を特徴とする筆記補助具。
【請求項３】
請求項１または請求項２に記載の筆記補助具であって、
前記結合部は、前記第２閉路部に対して前記第３閉路部がひばり結びされていること
を特徴とする筆記補助具。
【手続補正３】
【補正対象書類名】明細書
【補正対象項目名】０００１
【補正方法】変更
【補正の内容】
【０００１】
本発明は、指に装着して筆記具の正しい持ち方を実現できる筆記保持具に関する。
【手続補正４】
【補正対象書類名】明細書
【補正対象項目名】０００５
【補正方法】変更
【補正の内容】
【０００５】
しかし、特許文献１に記載された筆記補助具は、正しい持ち方を導くものではないという課題があった。
本発明はこのような状況に鑑みてなされたものであり、筆記具の正しい持ち方を実現できる筆記補助具を提供することを目的とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明に係る筆記補助具は、筆記具を正しい位置に配置して筆記具を正しく保持しやすいという効果を奏する。また、筆記補助具は、美しい文字を記載しやすくして、筆記具の使用による疲労を抑制し、姿勢の悪化を抑制しやすい。